(57)【要約】【課題】土壌収納部の温度上昇を防止し、植物が枯れず、しかも、ヒートアイランド現象を確実に防止できる緑化用容器を提供することである。【解決手段】接地面から所定の間隔８を保った土壌収納部ａと、上記間隔８に外気に導入するエア導入路３と、上記間隔８を大気に開放するエア導出路としての筒９とを備えている。そして、このエア導入路としての筒９の流出口は、上記土壌収納部の底面７よりも高いところに位置させた点に特徴を有する。【選択図】  図２
2004283085.tif 000002
【特許請求の範囲】
【請求項１】
接地面から所定の間隔を保った土壌収納部と、上記間隔内に外気を導入するエア導入路と、上記間隔を大気に開放するエア導出路とを備え、このエア導出路の流出口は、上記土壌収納部底面よりも高いところに位置させた緑化用容器。
【請求項２】
上記エア導出路を筒で構成にした請求項１記載の緑化用容器。
【請求項３】
土壌収納部底面は、筒で構成したエア導出路の流入口に向かって徐々に収れんされるロート状にした請求項２記載の緑化用容器。
【発明の詳細な説明】
【０００１】
【発明の属する技術分野】
この発明は、ヒートアイランド現象を防止するのに最適な緑化用容器に関する。
【０００２】
【従来の技術】
近年、ヒートアイランド現象が社会問題化されているが、それを解決するために、いろいろなタイプのプランターが知られている。例えば、一般に知られているプランターとして、プラスチック製の箱であって、その底の部分に水抜き孔を形成したものが知られている。このプラスチック製の箱からなるプランターは、それを建物の屋上に直接置くようにしている。つまり、上記底の部分が、建物の屋上に直接接触するようにしておくようにしている。
なお、この発明の従来技術に相当する技術文献は見あたらなかった。
【０００３】
【発明が解決しようとする課題】
上記プランターからなる緑化用容器は、極端に言えば、プラスチック製の箱をただ単に屋上に置くと同じなので、建物の屋上の温度がどんどん上昇すると、プランター内では、その熱を放出できなくなる。このようにしてプランター内に熱がこもってしまうと、ヒートアイランド現象を防止できないだけでなく、プランター内の土壌が高温になって植物も枯れてしまうと言う問題があった。
この発明の目的は、植物が枯れず、しかも、ヒートアイランド現象を確実に防止できる緑化用容器を提供することである。
【０００４】
【課題を解決するための手段】
第１の発明は、接地面から所定の間隔を保った土壌収納部と、上記間隔に外気に導入するエア導入路と、上記間隔を大気に開放するエア導出路とを備え、このエア導出路の流出口は、上記土壌収納部底面よりも高いところに位置させた点に特徴を有する。
第２の発明は、上記エア導出路を筒で構成した点に特徴を有する。
第３の発明は、土壌収納部底面を、筒で構成にしたエア導出路の流入口に向かって徐々に収れんされるロート状にした点に特徴を有する。
【０００５】
【発明の実施の形態】
図示の実施形態は、本体１は平面矩形にするとともに、その外周にスカート壁２を形成している。このスカート壁２には、図１に示すように複数の切欠き部を形成し、この切欠き部をエア導入路３としている。このスカート壁２の上端には滑り止め用の凸部４を多数形成した水平壁５を形成し、この水平壁５の内端を下方に延ばして土壌収納部外壁６を形成している。さらに、土壌収納部外壁６の下端には土壌収納部底面７を連続的に形成し、これら外壁６および底面７で囲われた部分を土壌収納部ａとしている。
そして、上記スカート壁２を接地させたとき、底面７と接地面との間に間隔８が形成される構成にしている。したがって、上記したエア導入路３から導入したエアは、この間隔８に導かれることになる。
【０００６】
上記のようにした本体１の中央部分には、エア導出路としての筒９を設けているが、この筒９は、その下端の流入口９ａを、上記土壌収納部底面７の中央部分に開口させ、上端の流出口９ｂを土壌収納部ａの上方に突出させている。
さらに、上記土壌収納部ａの底面７は、筒９の流入口９ａに向かって徐々に収れんされるロート状にしている。
【０００７】
上記のようにした本体１は、例えば建物の屋上にいくつも並べて使用するものである。したがって、上記したスカート壁２は、上方に向かって先細りになるように多少傾斜させておくと有利である。なぜなら、この本体１をいくつも接近させて並べたとき、上記のようにスカート壁２に傾斜があると、エア導入路３が隣の本体のスカート壁によってふさがれることがないからである。
【０００８】
なお、図中符号１０は、底面７に設けた水抜き用筒部である。また、１１は水平壁５に形成したエア抜き孔である。
また、図示していないが、互いに隣接する本体１を連結するための連結手段を設けるようにしても良い。このように連結手段を設けることによって、本体１そのものの位置決めが可能になる。
【０００９】
次にこの実施形態の作用を説明する。
建物の屋上などに、上記本体１を複数並べるが、この土壌収納部ａには、土壌を入れてそこに植物を植える。このようにして建物の屋上に本体１が置かれると、間隔８内のエアは太陽熱で熱せられるので、間隔８内のエアは熱膨張して軽くなり、その浮力で上昇し始める。このように間隔８内のエアが上昇し始めると、それはロート状にした底面７にガイドされて筒９に導かれ、その流入口９ａから流出口９ｂを経由して大気に開放される。
【００１０】
上記のように間隔８内のエアが熱せられて上昇し、筒９から大気に開放されると、今度は、本体１の外にある相対的の低い温度のエアがエア導入路３を経由して間隔８内に流入する。つまり、間隔８内のエアと、間隔８の外にあるエアとの間で、対流による循環運動が発生するので、間隔８内には、常に、相対的に低い温度の外気が導入されることになる。したがって、土壌収納部ａに植えた植物などが熱などによって枯れてしまうことがない。しかも、エア導出路を筒９で構成しているので、その筒９に煙突効果を期待でき、一層の対流を促すことができる。
【００１１】
また、太陽熱で間隔８内の温度が上がれば上がるほど、対流効果が高まるので、夏などは、建物の屋根下温度を低く保つことができる。反対に、冬などは、土壌が断熱効果を発揮して、間隔８内の温度もある程度保たれるので、建物が冷えるのを防止でき、それだけ暖房などに要するエネルギーを少なくできる。
【００１２】
さらに、この実施形態では、本体１に水平壁５を形成するとともに、この水平壁５には滑り止め用の凸部４を形成しているので、互いに隣り合う本体１の水平壁４に足を乗せることができる。したがって、この本体１を敷き詰めた後でも、本体１に乗って、植物の世話などの作業ができるようになる。
なお、上記実施形態の説明では、本体１を建物の屋上に置くようにしたが、本体１を、例えば舗装した路上に置いても良いこと当然である。
【００１３】
また、上記実施形態では、本体１が平面矩形である場合について説明したが、それが円形であっても良いし、三角形であっても良い。さらに、平面形状が異なる幾種類もの本体を用いて、それらを組み合わせて使用しても良い。特に、平面形状が三角形の本体１があれば、多少変則的なコーナーの部分にも、当該緑化用容器をくまなく敷き詰めることができるという利点がある。
【００１４】
上記実施形態では、自然の対流を利用して間隔８内のエアを筒９に導くようにしたが、例えば、筒９の中に、図示していないファンを設け、このファンでエアを強制的に循環させるようにしても良い。また、底面７の断面形状を波状にして、その放熱面積を多くすることもできる。
さらに、前記エア導入路３は、それを幅の狭いスリットで構成することによって、大きな虫などの進入を防止することもできる。
【００１５】
なお、上記実施形態において、煙突状の筒９を設けたので、太陽の位置によって、土壌収納部ａにこの筒９の陰ができる。この陰は、夏期に植物などが過度に熱せられるのを防止することができる。しかも、この陰は、太陽の位置に応じて刻々変化するので、植物に日が全然当たらないと言うのとは異なる。つまり、筒９によって、植物などが適度に冷やされると言う効果を期待できる。このように筒９に日陰を作らせるためには、当該筒９が土壌の面よりも十分に突出するだけの高さを必要とする。
また、上記の場合には、筒９に日陰を作らせるようにしたが、例えば、土壌収納部外壁６の高さを、土壌の面よりも十分に高くすれば、この土壌収納部外壁６よっても、日陰を作ることができる。
【００１６】
【発明の効果】
第１の発明である緑化用容器によれば、接地面から所定の間隔を保った土壌収納部と、上記間隔内に外気を導入するエア導入路と、上記間隔を大気に開放するエア導出路とを備え、このエア導出路の流出口は、上記土壌収納部底面よりも高いところに位置させたので、対流効果によって間隔内のエアを大気に放出するとともに、相対的に温度が低い外のエアを間隔内に導くことができる。このように間隔内に相対的に低い温度のエアを導いて、その中をいつも低い温度に保てるので、土壌収納部の土壌の温度が異常に高くなることがない。したがって、夏などには、建物の屋上や路上のヒートアイランド現象などを防止できるとともに、土壌収納部に植えた植物が枯れたりしなくなる。
【００１７】
第２の発明である緑化用容器によれば、上記エア導出路を筒で構成したので、この筒に煙突効果を期待できる。したがって、その対流がさらに盛んになり、それだけ間隔内の温度上昇を抑えられることになる。
【００１８】
第３の発明である緑化用容器によれば、土壌収納部底面を、筒で構成したエア導出路の流入口に向かって徐々に収れんされるロート状にしたので、間隔内のエアが対流を始めれば、それがスムーズに筒側に導かれるとともに、そこから大気に開放される。言い換えると、土壌収納部底面の形状によって、一層の対流効果を促すことができる。
【図面の簡単な説明】
【図１】斜視図である。
【図２】断面図である。
【符号の説明】
３    エア導入路
ａ    土壌収納部
７    土壌収納部底面
８    間隔
９    筒
９ａ  流入口
９ｂ  流出口
【図１】
2004283085.tif 000003
【図２】
2004283085.tif 000004